(57)【要約】【課題】生物脱硫槽内の充填材に付着した汚泥を除去し、生物脱硫槽の脱硫能力の低下を防止する精製システムの洗浄方法を提供する。【解決手段】生物脱硫槽１１と、給水管３５と、給水弁３６と、排水管３７と、排水弁３８と、生物脱硫槽１１の側面と接続され充填層３１下部に空気を圧送する空気圧送管５１と、空気圧送管５１の開閉を行う空気圧送弁５２と、生物脱硫槽１１の側面であって充填層３１の上部と接続された上部排水管５６と、上部排水管５６の開閉を行う上部排出弁５７と、制御装置４１とを備える精製システム２の洗浄方法であって、制御装置４１によって、排水弁３８を一定時間閉状態にして、生物脱硫槽１１内の充填層３１の上面以上の高さまで微生物を含む水を貯溜して静置する第一工程と、空気圧送弁５２を一定時間開状態にして、生物脱硫槽１１内に貯溜された微生物を含む水内に空気を圧送する第二工程とを行う。【選択図】図１
2012201763.tif 000002
【特許請求の範囲】
【請求項１】
微生物を付着させる複数の充填材を充填した充填層を有する生物脱硫槽と、
該生物脱硫槽の上部と接続され微生物を含む水を散布する給水管と、
該給水管の開閉を行う給水弁と、
前記生物脱硫槽の底部と接続され生物脱硫槽内の水を排出する排水管と、
該排水管の開閉を行う排水弁と、
前記生物脱硫槽の側面と接続され前記充填層下部に空気を圧送する空気圧送管と、
該空気圧送管の開閉を行う空気圧送弁と、
前記生物脱硫槽の側面であって前記充填層の上部と接続された上部排水管と、
該上部排水管の開閉を行う上部排出弁と、
前記給水弁、排水弁、空気圧送弁及び上部排水弁の開閉を制御する制御装置と
を備える精製システムの洗浄方法であって、
前記制御装置によって、
排水弁を一定時間閉状態にして、生物脱硫槽内の充填層の上面以上の高さまで微生物を含む水を貯溜して静置する第一工程と、
空気圧送弁を一定時間開状態にして、生物脱硫槽内に貯溜された微生物を含む水内に空気を圧送する第二工程とを行う精製システムの洗浄方法。
【請求項２】
前記制御装置によって、
前記第一工程と第二工程とを行った後、
上部排水弁を一定時間開状態にして、微生物を含む水の上面に浮いた浮遊物を除去する第三工程を行う請求項１に記載の精製システムの洗浄方法。
【発明の詳細な説明】
【技術分野】
【０００１】
本発明は、精製システムの洗浄方法、特に精製システムを構成する充填材に付着した汚泥を除去するための洗浄方法の技術に関する。
【背景技術】
【０００２】
従来、下水汚泥、有機性廃水、厨芥類などの食品残渣及び糞尿等の廃棄されていた有機性廃棄物を、嫌気性細菌を利用してメタン発酵することでメタンガス（気体状態のメタン）を主成分とした混合気体であるバイオガスを発生させ、該バイオガスを燃料ガスとして使用するバイオガス発電装置が公知となっている（例えば、特許文献１参照）。
【０００３】
バイオガスを燃料ガスとして使用する場合、バイオガスは、多くの不純物を含んでおり、そのまま使用すると、発電装置や環境に対して悪影響を与えるので、バイオガスを精製し、不純物を除去する必要がある。不純物の一つである硫黄を取り除く（脱硫する）方法として、バイオガスに含まれる硫化水素等の不純物を微生物の働きにより除去する精製システムを用いた方法が公知となっている（例えば、特許文献２参照）。
【先行技術文献】
【特許文献】
【０００４】
【特許文献１】特開２００２−２７５４８２号公報
【特許文献２】特開２００６−１４３７８１号公報
【発明の概要】
【発明が解決しようとする課題】
【０００５】
精製システムは、微生物が定着する充填材が充填されている生物脱硫槽を有する。従来、微生物を含む水、例えば、処理水を生物脱硫槽の上部から充填材へ散布することにより、微生物を充填材に定着させていた。充填材は円筒形状に形成されており、散布された処理水は各充填材の外周面若しくは内周面に接触しつつ流下していた。
しかし、この方法では、処理水内に含まれる有機物やごみなどからなる汚泥が充填材の外周面若しくは内周面に付着し堆積していた。そのため、長時間運転した後には充填材の内周面に多量の汚泥が付着して詰まりが発生し、処理水を散布しても充填材表面にほとんど接触することなく流下する現象（ショートパス）が発生していた。このため、充填材表面に微生物が定着しにくくなり、生物脱硫槽自体の脱硫能力が低下していた。
【０００６】
そこで、本発明は係る課題に鑑み、生物脱硫槽内の充填材に付着した汚泥を除去し、生物脱硫槽の脱硫能力の低下を防止する精製システムの洗浄方法を提供する。
【課題を解決するための手段】
【０００７】
本発明の解決しようとする課題は以上の如くであり、次にこの課題を解決するための手段を説明する。
【０００８】
即ち、請求項１においては、微生物を付着させる複数の充填材を充填した充填層を有する生物脱硫槽と、該生物脱硫槽の上部と接続され微生物を含む水を散布する給水管と、該給水管の開閉を行う給水弁と、前記生物脱硫槽の底部と接続され生物脱硫槽内の水を排出する排水管と、該排水管の開閉を行う排水弁と、前記生物脱硫槽の側面と接続され前記充填層下部に空気を圧送する空気圧送管と、該空気圧送管の開閉を行う空気圧送弁と、前記生物脱硫槽の側面であって前記充填層の上部と接続された上部排水管と、該上部排水管の開閉を行う上部排出弁と、前記給水弁、排水弁、空気圧送弁及び上部排水弁の開閉を制御する制御装置とを備える精製システムの洗浄方法であって、前記制御装置によって、排水弁を一定時間閉状態にして、生物脱硫槽内の充填材の上面以上の高さまで微生物を含む水を貯溜して静置する第一工程と、空気圧送弁を一定時間開状態にして、生物脱硫槽内に貯溜された微生物を含む水内に空気を圧送する第二工程とを行うものである。
【０００９】
請求項２においては、前記制御装置によって、前記第一工程と第二工程とを行った後、
上部排水弁を一定時間開状態にして、微生物を含む水の上面に浮いた浮遊物を除去する第三工程を行うものである。
【発明の効果】
【００１０】
本発明の効果として、以下に示すような効果を奏する。
【００１１】
請求項１においては、微生物を含む水内に空気を圧送することにより、水中の充填材についた汚泥が剥離されて、水面へと浮上する。これにより、充填材の表面積や水との接触面積を増加させることができる。従って、脱硫が十分に行われるようになる。
【００１２】
請求項２においては、微生物を含む水内に空気を圧送することにより、水中の充填材についた汚泥が剥離されて、水面へと浮上する。水面へ浮上した浮遊物を除去するため、効率よく浮遊物の除去が行える。これにより、充填材の表面積や水との接触面積を増加させることができる。従って、脱硫が十分に行われるようになる。
【図面の簡単な説明】
【００１３】
【図１】本発明の一実施形態に係るバイオガス発電装置の全体構成図。
【図２】本発明の一実施形態に係る生物脱硫槽の構成図。
【図３】本発明の一実施形態に係る生物脱硫槽内に微生物を定着させるための給水弁、排水弁、空気注入弁、及び空気排出弁の開閉制御を示すフローチャート図。
【図４】本発明の一実施形態に係る生物脱硫槽内に微生物を定着させるための給水弁、排水弁、空気注入弁、及び空気排出弁の開閉制御を示すフローチャート図。
【図５】本発明の一実施形態に係る生物脱硫槽内に微生物を定着させながら生物脱硫をするための給水弁及び排水弁の開閉制御を示すフローチャート図。
【発明を実施するための形態】
【００１４】
まず、本発明の一実施形態であるバイオガスの精製システム２を含む発電システム１００の全体構成について図１を用いて説明する。
【００１５】
発電システム１００は、精製システム２を用いて有機性廃棄物のガス化により発生したバイオガスを精製し、その精製したバイオガスを用いて発電するものである。発電システム１００は、発酵槽１と、精製システム２と、ガスホルダ３と、ガスエンジン発電機４と、それぞれの装置を繋ぐガス通路５から構成される。
【００１６】
発酵槽１は、有機性廃棄物のガス化によりバイオガスを発生させるものである。発酵槽１は、例えば、ＵＡＳＢ型の反応槽である。発酵槽１には、有機性廃棄物の一種である有機性廃水が廃水供給部を介して供給されるとともに、グラニュール菌体が投入される。これにより、発酵槽１において、メタン発酵が行われ、有機性排水に含まれる有機物がメタンと炭酸ガスに分解されて、バイオガスが発生する。バイオガスは、メタンを主成分とした混合気体であり、その他の成分として硫化水素や炭酸ガス等を含む。
【００１７】
精製システム２は、発酵槽１で有機性廃水のガス化により発生したバイオガス中の硫化水素を除去して、バイオガスを精製するものである。精製システム２は、バイオガスが発酵槽１から流れ出てガスエンジン発電機４に至る途中に設置される。精製システム２は、生物脱硫槽１１と、空気注入装置１３とを備える。
【００１８】
生物脱硫槽１１は、微生物を用いてバイオガスを脱硫するものである。生物脱硫槽１１は、発酵槽１とガス通路５を介して接続され、バイオガスの流れ方向において発酵槽１の下流側に配置される。生物脱硫槽１１は、発酵槽１で発生したバイオガス中の硫化水素がバイオガスを燃料ガスとして使用するガスエンジン発電機４を腐蝕させるため、バイオガス中の硫化水素を除去する。
【００１９】
生物脱硫槽１１の上下方向中間部には、図１及び図２に示すように、微生物の定着面積を拡大するために、複数の充填材３１ａを充填した充填層３１が設けられている。充填層３１には複数の充填材３１ａが無作為に充填されている。充填材３１ａは、その表面に微生物が定着できる材質で筒状に形成されており、例えばポリプロピレンで形成されている。
また、生物脱硫槽１１内には生物脱硫槽１１内に貯溜される処理水の水位を検出する水位センサ３２が設けられている。
【００２０】
空気注入装置１３は、バイオガスに空気を注入するための装置である。空気注入装置１３は、ファンや送風側バルブを有し、発酵槽１と生物脱硫槽１１とを接続するガス通路５を流れるバイオガスに空気を注入管２６を介して注入することができるように構成される。生物脱硫槽１１における脱硫反応では、微生物は好気性環境で活発に活動する。そこで、バイオガスが生物脱硫槽１１に流入する前に、空気を空気注入装置１３よりバイオガスに注入することで、微生物の活動を活発化させるようになっている。
また、空気注入装置１３は、ファンの回転速度を調節することや、送風側バルブの開度調整をすることにより、バイオガスに注入する空気注入量を調節することができるように構成される。なお、空気注入装置１３は、本実施形態においてはファンを有する構成としたが、これに限定するものではない。例えば、空気注入装置１３は、ポンプやコンプレッサを有する構成とすることも可能である。
【００２１】
ガスホルダ３は、精製システム２で精製後のバイオガスを一時貯溜して、精製後のバイオガスをガスエンジン発電機４へ供給するときのバイオガス供給量を調節するための装置である。ガスホルダ３は、生物脱硫槽１１とガス通路５を介して接続され、バイオガスの流れ方向において生物脱硫槽１１の下流側に配置される。
【００２２】
ガスエンジン発電機４は、燃料ガスとして精製システム２で精製後のバイオガスを用いて発電するものである。ガスエンジン発電機４は、ガスエンジン及び発電機を有する。ガスエンジン発電機４においては、ガスエンジンと発電機とが連結され、このガスエンジンの出力軸の回転により発電機の磁石またはコイルが回転することによって、発電が行われる。ガスエンジン発電機４は、ガスホルダ３よりも下流に設けられている。
【００２３】
また、発酵槽１、精製システム２、ガスホルダ３及びガスエンジン発電機４は、バイオガス及び空気を流通させるガス通路５によって、前述の順序で接続されている。
ガス通路５は、第一ガス管２１と、第二ガス管２２と、第三ガス管２３とで構成されている。第一ガス管２１は、発酵槽１と精製システム２の生物脱硫槽１１とを接続し、バイオガスを発酵槽１から生物脱硫槽１１へ向かって流通させるとともに、このバイオガスに空気注入装置１３により注入された空気を流通させる。第二ガス管２２は、精製システム２の生物脱硫槽１１とガスホルダ３とを接続し、脱硫後のバイオガス及び空気を生物脱硫槽１１からガスホルダ３へ向かって流通させる。第三ガス管２３は、ガスホルダ３とガスエンジン発電機４とを接続し、精製システム２で精製後のバイオガス及び空気をガスホルダ３からガスエンジン発電機４へ向かって流通させる。
第一ガス管２１の途中には、空気を空気注入装置１３から注入させるための注入管２６が接続されている。
また、第二ガス管２２にはガス弁３３が設けられており、ガス弁３３を開閉することにより、第二ガス管２２から下流へのバイオガス及び空気の流入又は停止を切り換えることができる。
【００２４】
ガス弁３３は、制御装置４１に接続されており、制御装置４１はガス弁の開閉を制御することが可能となっている。ガス弁３３は、通常運転時には開状態となっている。また、制御装置４１は、バイオガスが生物脱硫槽１１に流入していない状態で生物脱硫槽１１内に微生物を定着させるための開閉制御を行う場合には、ガス弁３３を閉状態とする。また、発電システム１００全体の稼動を停止する際にはガス弁３３を閉状態とする。
【００２５】
また、精製システム２は、生物脱硫槽１１の上部と接続され微生物を含む水を散布する給水管３５と、給水管３５の開閉を行う給水弁３６と、生物脱硫槽１１の底部と接続され生物脱硫槽１１内の水を排出する排水管３７と、排水管３７の開閉を行う排水弁３８と、生物脱硫槽１１の側面と接続され生物脱硫槽１１内の充填層３１下部に空気を圧送する空気圧送管５１と、空気圧送管５１の開閉を行う空気圧送弁５２と、空気圧送管５１へ空気を圧送する圧縮ポンプ５３と、生物脱硫槽１１の上部と接続され、空気圧送管５１から圧送された空気を排出する空気排出管５４と、空気排出管５４の開閉を行う空気排出弁５５と、生物脱硫槽１１の側面であって充填層３１の上部と接続された上部排水管５６と、上部排水管５６の開閉を行う上部排出弁５７と、給水弁３６、排水弁３８、空気圧送弁５２、空気排出弁５５、及び上部排出弁５７の開閉を制御する制御装置４１と、を具備する。
【００２６】
給水管３５は、処理水の流れ方向において上流端が発酵槽１に接続されている。給水管３５の上流端は、発酵槽１の上部に接続されている。発酵槽１には、有機性廃棄物の一種である有機性廃水が廃水供給部を介して供給されており、発酵槽１において、メタン発酵が行われた後の処理水が、給水管３５に流入する。ここで、処理水とは、メタン発酵が行われた後の有機性廃水を主成分とし、硫黄酸化細菌などの微生物が含まれる水である。
給水管３５の下流端は、生物脱硫槽１１の上部から生物脱硫槽１１内部に貫入されている。給水管３５の下流端は複数の吐出口が設けられており、処理水は、複数の吐出口からシャワー状に吐出される。
【００２７】
給水管３５の中途部には、給水弁３６が設けられている。給水弁３６は、電磁弁であり、電磁弁を電気的に制御して開閉することにより給水管３５の開閉を行うことができる。
【００２８】
排水管３７は、上流端が、生物脱硫槽１１の底部に接続されている。生物脱硫槽１１の上部に接続した給水管３５から生物脱硫槽１１内へ散布された処理水は、生物脱硫槽１１底部に落下し、排水管３７から図示せぬ水封槽を経由して処理水貯留槽に排出される。
排水管３７の中途部には排水弁３８が設けられている。排水弁３８は、電磁弁であり、電磁弁を電気的に制御して開閉することにより排水管３７の開閉を行うことができる。
【００２９】
空気圧送管５１は、一端が圧縮ポンプに接続されている。また、空気圧送管５１は、生物脱硫槽１１の側面から生物脱硫槽１１内部に貫入されており、生物脱硫槽１１内において、下方に屈曲して延出している。空気圧送管５１の他端には、複数の空気圧送口５１ａ・５１ａ・５１ａ・・・が形成されており、空気圧送口５１ａは充填層３１の最下部付近に設けられている。空気圧送口５１ａは上端が開口している。
圧縮ポンプ５３によって圧送された空気は空気圧送管５１内を通って、空気圧送口５１ａから上方に向けて吐出される。例えば、生物脱硫槽１１内に処理水が貯溜されており、処理水の高さが充填層３１の上面まである場合には、空気圧送口５１ａから吐出された空気は充填層３１内を通過し、充填層３１内の各充填材３１ａの表面及び充填層３１の内周面に衝突しながら上方へと移動する。これにより、各充填材３１ａの表面及び充填層３１の内周面に付着した汚泥が剥離して気泡とともに処理水の水面に浮き上がる。
【００３０】
空気圧送管５１の中途部には、空気圧送弁５２が設けられている。空気圧送弁５２は、電磁弁であり、電磁弁を電気的に制御して開閉することにより空気圧送管５１の開閉を行うことができる。
【００３１】
空気排出管５４は、一端が生物脱硫槽１１の上部と接続されており、他端が外部へ開口している。空気圧送管５１を通って生物脱硫槽１１内に吐出された空気は上方へと移動し、空気排出管５４を通って外部へと排出される。
空気排出管５４の中途部には空気排出弁５５が設けられている。空気排出弁５５は、電磁弁であり、電磁弁を電気的に制御して開閉することにより空気排出管５４の開閉を行うことができる。
【００３２】
上部排水管５６は、生物脱硫槽１１の側面であって充填層３１の上部と接続されている。より詳しくは、上部排水管５６の一端は充填層３１の上面から数ｃｍ下方に設けられている。また、上部排水管５６の他端は外部の図示せぬ排水槽と接続されている。例えば、各充填材３１ａの表面及び充填層３１の内周面に付着した汚泥が剥離して気泡とともに処理水の水面に浮き上がった場合に、上部排水管５６が開状態になっていると、水面近くの汚泥とともに処理水が上部排水管５６を通って図示せぬ排水槽へと流出する。
上部排水管５６の中途部には上部排水弁５７が設けられている。上部排水弁５７は、電磁弁であり、電磁弁を電気的に制御して開閉することにより上部排水管５６の開閉を行うことができる。
【００３３】
制御装置４１は、水位センサ３２と、ガス弁３３と、給水弁３６と、排水弁３８と、空気圧送弁５２と、空気排出弁５５と、上部排水弁５７と接続している。制御装置４１は、ＲＡＭやＲＯＭ等で構成された記憶部とＣＰＵ等で構成された演算部とから構成されている。制御装置４１は、給水弁３６、排水弁３８、空気圧送弁５２、空気排出弁５５及び上部排水弁５７の開閉を制御することにより、生物脱硫槽１１内に微生物を定着させ、付着した汚泥を除去する。
【００３４】
次に、生物脱硫槽１１内に微生物を定着させるための給水弁３６、排水弁３８、空気圧送弁５２、空気排出弁５５及び上部排水弁５７の開閉制御について図３及び図４に示すフローチャートを用いて説明する。
【００３５】
まず、ガス弁３３を閉状態とすることにより、バイオガスが生物脱硫槽１１に流入していない状態とする（ステップＳ１０）。
生物脱硫槽１１内に微生物を定着させるための開閉制御を開始すると、まず、給水弁３６は開状態にし、排水弁３８は閉状態にする（ステップＳ２０）。この状態においては、給水弁３６から生物脱硫槽１１へ処理水が流入し、生物脱硫槽１１内の処理水が排水弁３８から排出されることなく、生物脱硫槽１１内に貯溜されることとなる。
【００３６】
次に、水位センサ３２により検出された水位ｈが、充填層３１の予め定められている上面の高さＨよりも高いか否かについて判断する（ステップＳ３０）。充填層３１の上面の高さ以下である場合には所定時間経過したか否かを判断する（ステップＳ３１）。所定時間経過していなかった場合には再びステップＳ３１をループ処理し、所定時間経過していた場合は再びステップＳ３０の処理を行う。充填層３１の上面の高さよりも高い場合には、給水弁３６を閉状態にし、排水弁３８は閉状態を維持し、空気圧送弁５２を開状態にし、空気排出弁５５を開状態にする（ステップＳ４０）。この状態においては、生物脱硫槽１１内に処理水が貯溜されたまま維持されることとなる。この生物脱硫槽１１内の充填材３１ａの上面の高さＨ以上の高さまで処理水を貯溜して静置する工程を第一工程とする。また、処理水の水位が、充填層３１の上面の高さよりも高いため、充填層３１が処理水と絶えず接触していることとなり、微生物の充填層３１での定着が促進される。
【００３７】
また、この状態においては、空気圧送弁５２を一定時間開状態にして、生物脱硫槽１１内に貯溜された処理水内に空気を圧送する第二工程が第一工程と同時に行われる。空気圧送管５１を通って空気圧送口５１ａから吐出された空気は充填層３１内を通過し、充填層３１内の各充填材３１ａの表面及び充填層３１の内周面に衝突しながら上方へと移動する。これにより、各充填材３１ａの表面及び充填層３１の内周面に付着した汚泥が剥離して気泡とともに処理水の水面に浮き上がる。
なお、本実施形態においては、第一工程と第二工程とを同時に行ったが、第一工程が行われた後に第二工程を行うこともできる。
【００３８】
次に、一定時間Ｔ１が経過したか否かを判断する（ステップＳ５０）。ここで一定時間Ｔ１とは、微生物の充填層３１での定着が行われるのに充分な時間かつ各充填材３１ａの表面及び充填層３１の内周面に付着した汚泥の剥離が行われるのに充分な時間であり、例えば、本実施形態では２４時間である。
【００３９】
一定時間Ｔ１が経過していない場合には所定時間経過したか否かを判断する（ステップＳ５１）。所定時間経過していなかった場合には再びステップＳ５１をループ処理し、所定時間経過していた場合は再びステップＳ５０の処理を行う。ステップＳ５０において、一定時間Ｔ１が経過した場合には、図４に示すように、空気圧送弁５２を閉状態にし、空気排出弁５５を閉状態にし、上部排水弁５７を開状態にする（ステップＳ６０）。この状態においては、各充填材３１ａの表面及び充填層３１の内周面に付着した汚泥の剥離が充分に行われたものと判断し、剥離された汚泥を排出する。この処理水の上面に浮いた浮遊物である剥離された汚泥を除去する工程を第三工程とする。上部排水弁５７を開状態にすることで、水面近くの汚泥とともに処理水が上部排水管５６を通って図示せぬ排水槽へと流出する。
【００４０】
次に一定時間Ｔ２が経過したか否かを判断する（ステップＳ７０）。ここで一定時間Ｔ２とは、水面近くの汚泥の除去が行われるのに充分な時間である。
一定時間Ｔ２が経過していない場合には所定時間経過したか否かを判断する（ステップＳ７１）。所定時間経過していなかった場合には再びステップＳ７１をループ処理し、所定時間経過していた場合は再びステップＳ７０の処理を行う。ステップＳ７０において、一定時間Ｔ２が経過した場合には、上部排水弁５７を閉状態にし、給水弁３６は閉状態を維持し、排水弁３８を開状態にする（ステップＳ８０）。この状態においては、一定時間Ｔ１が経過したことにより、微生物の充填層３１での定着及び水面近くの汚泥の除去が充分行われたものと判断し、処理水を排出する。
【００４１】
次に、生物脱硫槽１１内に微生物を定着させながら生物脱硫するための給水弁３６及び排水弁３８の開閉制御について図５に示すフローチャートを用いて説明する。
この制御は、前述の生物脱硫槽１１内に微生物を定着させるための給水弁３６及び排水弁３８の開閉制御を行った後に行う制御である。すなわち、前述の制御により、微生物の充填層３１での定着が充分行われた状態において、使用する処理水の量を少なくしつつ、生物脱硫槽１１内に微生物を定着させながら生物脱硫するための制御である。
【００４２】
まず、ガス弁３３を開状態にすることにより、バイオガスが生物脱硫槽１１に流入している状態とする（ステップＳ１１０）。
次に、給水弁３６を開状態とし、排水弁３８を開状態とする（ステップＳ１２０）。この状態においては、給水弁３６から生物脱硫槽１１に処理水が流入するため微生物に水分が与えられ、微生物が乾燥するのを防止することができる。また、微生物が硫化水素を分解した結果として生成される硫酸を洗い流し、排水弁３８から処理水とともに排出することができる。
【００４３】
次に、一定時間Ｔ３が経過したか否かを判断する（ステップＳ１３０）。ここで一定時間Ｔ３とは、微生物が生育するために最低限必要な水量を供給できる時間である。
ステップＳ１３０において、一定時間Ｔ３が経過していない場合には所定時間経過したか否かを判断する（ステップＳ１３１）。所定時間経過していなかった場合には再びステップＳ１３１をループ処理し、所定時間経過していた場合は再びステップＳ１３０の処理を行う。この状態においては、給水弁３６が開状態で維持され、排水弁３８が開状態で維持されるので、引き続き給水弁３６から生物脱硫槽１１に処理水が流入するため微生物に水分が与えられ、微生物が乾燥するのを防止することができる。また、微生物が硫化水素を分解した結果として生成される硫酸を洗い流し、排水弁３８から処理水とともに排出することができる。
【００４４】
ステップＳ１３０において、一定時間Ｔ３が経過していると判断された場合は次に給水弁３６を閉状態とし、排水弁３８を開状態とする（ステップＳ１４０）。この状態においては、処理水が生物脱硫槽１１内に流入しない。微生物は、バイオガスに含まれる硫化水素を分解し硫酸にする。処理水を流入させないことにより、無駄な処理水の流入を防止することができる。
【００４５】
次に、一定時間Ｔ４が経過したか否かを判断する（ステップＳ１５０）。ここで、一定時間Ｔ４とは、処理水を散布しなくても微生物が乾燥しない時間であり、本実施形態においては６時間である。
一定時間Ｔ４が経過していない場合には所定時間経過したか否かを判断する（ステップＳ１５１）。所定時間経過していなかった場合には再びステップＳ１５１をループ処理し、所定時間経過していた場合は再びステップＳ１５０を処理する。この状態においては、給水弁３６が閉状態で維持され、排水弁３８が開状態で維持されるので、引き続き処理水が生物脱硫槽１１内に流入しない。微生物は、バイオガスに含まれる硫化水素を分解し硫酸にする。処理水を流入させないことにより、無駄な処理水の流入を防止することができる。
【００４６】
次に、一定時間Ｔ４が経過後において、ガス弁３３が開状態であるか否かを判断する（ステップＳ１６０）。ガス弁３３が開状態であれば生物脱硫が引き続き行われていると判断し、再びステップＳ１２０を行う。ガス弁３３が閉状態であるときは、生物脱硫が終了したものと判断し制御を終了する。
【００４７】
以上のように、微生物を付着させる複数の充填材３１ａを充填した充填層３１を有する生物脱硫槽１１と、生物脱硫槽１１の上部と接続され微生物を含む水を散布する給水管３５と、給水管３５の開閉を行う給水弁３６と、生物脱硫槽１１の底部と接続され生物脱硫槽１１内の水を排出する排水管３７と、排水管３７の開閉を行う排水弁３８と、生物脱硫槽１１の側面と接続され充填層３１下部に空気を圧送する空気圧送管５１と、空気圧送管５１の開閉を行う空気圧送弁５２と、生物脱硫槽１１の側面であって充填層３１の上部と接続された上部排水管５６と、上部排水管５６の開閉を行う上部排出弁５７と、給水弁３６、排水弁３８、空気圧送弁５２及び上部排水弁５７の開閉を制御する制御装置４１とを備える精製システム２の洗浄方法であって、制御装置４１によって、排水弁３８を一定時間閉状態にして、生物脱硫槽１１内の充填層３１の上面以上の高さまで微生物を含む水を貯溜して静置する第一工程と、空気圧送弁５２を一定時間開状態にして、生物脱硫槽１１内に貯溜された微生物を含む水内に空気を圧送する第二工程とを行うものである。
このように構成することにより、微生物を含む水内に空気を圧送することにより、水中の充填材３１ａについた汚泥が剥離されて、水面へと浮上する。これにより、充填材３１ａの表面積や水との接触面積を増加させることができる。従って、脱硫が十分に行われるようになる。
【００４８】
また、制御装置４１によって、前記第一工程と第二工程とを行った後、上部排水弁５７を一定時間開状態にして、微生物を含む水の上面に浮いた浮遊物を除去する第三工程を行うものである。
このように構成することにより、微生物を含む水内に空気を圧送することにより、水中の充填材３１ａについた汚泥が剥離されて、水面へと浮上する。水面へ浮上した浮遊物を除去するため、効率よく浮遊物の除去が行える。これにより、充填材３１ａの表面積や水との接触面積を増加させることができる。従って、脱硫が十分に行われるようになる。
【符号の説明】
【００４９】
１    発酵槽
２    精製システム
３    ガスホルダ
４    ガスエンジン発電機
５    ガス通路
１１    生物脱硫槽
１３    空気注入空気注入装置
３１    充填層
３１ａ    充填材
３２    水位センサ
３３    ガス弁
３５    給水管
３６    給水弁
３７    排水管
３８    排水弁
４１    制御装置
５１    空気圧送管
５２    空気圧送弁
５３    圧縮ポンプ
５４    空気排出管
５５    空気排出弁
５６    上部排水管
５７    上部排水弁
１００    発電システム
【図１】
2012201763.tif 000003
【図２】
2012201763.tif 000004
【図３】
2012201763.tif 000005
【図４】
2012201763.tif 000006
【図５】
2012201763.tif 000007